(57)【要約】【課題】携帯電話の補助メモリの内容を手軽にかつ自動的にバックアップ保存するため、バックアップ機能付きの携帯電話用充電器具を得る。【解決手段】電源コンセントに差し込み可能なプラグ部４を設けたＡＣアダプタ２を有して、携帯電話５の充電用端子に掛合可能な給電用端子１０を設け、携帯電話５の外部機器接続端子部６と接続可能なコネクタ手段例えば、卓上ホルダ３を具えた充電器具１において、外部機器接続端子部６の少なくともデータ入出力端子に接続可能な卓上ホルダ３の接続ポート１２に接続したマイクロコンピュータ１４及びこのマイクロコンピュータ１４に接続した補助記憶手段１５とを具え、マイクロコンピュータ１４のＲＯＭに格納した制御プログラムの下に、携帯電話の補助メモリに記憶されているデータを補助記憶手段１５にバックアップコピーとして上書き保存する。【選択図】　　　　図１
2004032480.tif 000002
【特許請求の範囲】
【請求項１】
携帯電話の内蔵バッテリを充電するため、トランスを組み込んで電源コンセントに差し込み可能なプラグ部を設けたＡＣアダプタを有して、携帯電話と接続可能なコネクタ手段を具えた充電器具であって、前記コネクタ手段に、携帯電話の充電用端子に掛合可能な給電用端子を設けた充電器具において、前記コネクタ手段に、前記携帯電話の外部機器接続端子部における少なくともデータ入出力端子に接続可能な接続ポートと、エンクロージャ内に設けて前記接続ポートに接続したマイクロコンピュータ及びこのマイクロコンピュータに接続した補助記憶手段とを具え、前記マイクロコンピュータのＲＯＭには、前記コネクタ手段を携帯電話に接続したとき携帯電話の補助メモリに記憶されているデータを前記マイクロコンピュータのＲＡＭにコピーし、このコピーを前記マイクロコンピュータに接続した前記補助記憶手段にバックアップコピーとして上書き保存する制御プログラムを格納することを特徴とする携帯電話の充電器具。
【請求項２】
前記補助記憶手段を前記エンクロージャ内に固定的に組み込んだ半導体メモリとした請求項１記載の携帯電話の充電器具。
【請求項３】
前記第補助記憶手段を、前記エンクロージャに内蔵しかつ前記マイクロコンピュータに接続したインターフェイスコネクタに対してエンクロージャ外部から抜き差しできる可搬式半導体メモリとした請求項１記載の携帯電話の充電器具。
【請求項４】
一方の端部にトランス組込みプラグ部を有するコードの他方の端部に前記携帯電話の外部機器接続端子部に直接接続可能であり、かつ前記携帯電話の外部機器接続端子部における非露出充電用端子に掛合する給電用端子のみを設けたコネクタ部を有するＡＣアダプタと、このＡＣアダプタの前記コネクタ部に接続可能でありかつ前記給電用端子に掛合可能な給電用接点を有する卓上ホルダとを設け、前記コネクタ手段に設けるエンクロージャを前記卓上ホルダにより構成し、この卓上ホルダに、前記給電用接点に接続しかつ携帯電話の露出充電用端子に掛合可能な露出給電用端子、前記接続ポート、前記マイクロコンピュータ及び前記補助記憶手段を設けた請求項１乃至３のうちのいずれか一項に記載の携帯電話の充電器具。
【請求項５】
一方の端部にトランス組込みプラグ部を有するコードの他方の端部に前記携帯電話の外部機器接続端子部に直接接続可能でありかつ前記外部機器接続端子部のすべての端子に掛合可能な端子を設けたコネクタ部を有するＡＣアダプタにより構成し、前記コネクタ部を前記コネクタ手段の前記接続ポートとして機能させ、前記コネクタ部に、前記外部機器接続端子部のデータ入出力端子に接続可能な接続ポートから延びるラインを介して接続した前記マイクロコンピュータ及びこのマイクロコンピュータに接続した前記補助記憶手段を設け、これらマイクロコンピュータ及び補助記憶手段をエンクロージャで包囲した請求項１乃至３のうちのいずれか一項に記載の携帯電話の充電器具。
【請求項６】
電源コンセントに差し込み可能なトランス組込みプラグ部を設けたＡＣアダプタを有して携帯電話に接続可能なコネクタ手段を具え、前記コネクタ手段に携帯電話の充電用端子に掛合可能な給電用端子を設けるとともに、前記コネクタ手段に携帯電話の外部機器接続端子部のデータ入出力端子に接続可能な接続ポートを介してマイクロコンピュータ及びこのマイクロコンピュータに接続した補助記憶手段を前記コネクタ手段に設けた携帯電話の充電器具の使用方法において、
前記充電器具のコネクタ手段に携帯電話を接続して携帯電話のバッテリを充電する際に、充電とともに携帯電話の補助メモリの内容をバックアップコピーとして前記マイクロコンピュータの制御の下に前記補助記憶手段に上書き保存し、
携帯電話が万一紛失又は破損した場合に、同一携帯電話事業者の携帯電話を取り扱う販売店の作業パソコンにおける組込み制御プログラムの制御の下に、前記充電器具に設けた前記補助記憶手段のバックアップコピーを前記作業パソコンの作業ファイルに読み込み、
前記販売店で新規に購入した携帯電話の補助メモリに前記作業用パソコンの作業ファイルからバックアップコピーを復元する
ことよりなることを特徴とする携帯電話の充電器具の使用方法。
【発明の詳細な説明】
【０００１】
【発明の属する技術分野】
本発明は、携帯電話の内蔵バッテリを充電するため、トランスを組み込んで電源コンセントに差し込み可能なプラグ部を設けたＡＣアダプタを有して、携帯電話に接続可能なコネクタ手段を具え、前記コネクタ手段に、携帯電話の充電用端子に掛合可能な給電用端子を設けた充電器具に関するものである。
【０００２】
【従来の技術】
従来このような携帯電話の充電器具は、携帯電話の充電用端子に掛合可能な給電用端子のみを有し、単に電源コンセントから携帯電話の内蔵バッテリを充電するためだけのものであった。
【０００３】
【発明が解決しようとする課題】
携帯電話は紛失したり、水に浸かったりすることがよくあり、最近の携帯電話は電話帳の他に、ｅ‐ｍａｉｌアドレス、保存メール、着メロ、ｉアプリ等のデータやアプリケーションを補助メモリに記憶し、メモリを活用する傾向にある。しかし、携帯電話は、不慮に紛失したり水に浸かったりすることがよくあり、このような場合、補助メモリに記憶させておいたデータやアプリケーションを復旧させることは不可能となることが多い。
【０００４】
パソコンに関するスキルのある人であれば、携帯電話ユーティリティソフトを購入して補助メモリの内容を取り込んでパソコンに保存しておき、万一の場合にもパソコンから復旧することもできるが、高価なパソコン用携帯電話ユーティリティソフトを購入する必要があり、また使い方を覚える必要があり、適用機種が限定される場合もある。従って、パソコンになじみのない高齢者や、子供は取り扱うことはできない。
【０００５】
従って、本発明の目的は、携帯電話の補助メモリの内容を手軽にかつ自動的にバックアップ保存することができるようにするため、バックアップ機能付きの携帯電話用充電器具を得るにある。
【０００６】
【発明が解決しようとする課題】
この目的を達成するため、本発明は、トランスを組み込んで電源コンセントに差し込み可能なプラグ部を有して携帯電話に接続可能なコネクタ手段を具え、前記コネクタ手段に、携帯電話の充電用端子に掛合可能な給電用端子を設けた充電器具において、前記コネクタ手段に、前記携帯電話の外部機器接続端子部の少なくともデータ入出力端子に接続可能な接続ポートと、エンクロージャ内に設けて前記接続ポートに接続したマイクロコンピュータ及びこのマイクロコンピュータに接続した補助記憶手段とを具え、前記マイクロコンピュータのＲＯＭには、前記コネクタ手段を携帯電話に接続したとき携帯電話の補助メモリに記憶されているデータを前記マイクロコンピュータのＲＡＭにコピーし、このコピーを前記マイクロコンピュータに接続した前記補助記憶手段にバックアップコピーとして上書き保存する制御プログラムを格納することを特徴とする。
【０００７】
本発明携帯電話の充電器具によれば、だれもが行なう携帯電話バッテリの充電の際に、コネクタ手段に携帯電話を接続するだけで、その都度自動的に補助メモリの内容をコネクタ手段に設けた補助記憶手段にバックアップコピーとして上書き保存することができる。従って、パソコン用携帯電話ユーティリティソフトが不要であり、パソコンになじみのない人でも、　携帯電話の補助メモリの内容を確実にバックアップ保存することができる。
【０００８】
本発明の好適な実施例においては、補助記憶手段を、エンクロージャ内に固定的に組み込んだ半導体メモリとするか、又は前記エンクロージャに内蔵しかつ前記マイクロコンピュータに接続したインターフェイスコネクタに対してエンクロージャ外部から抜き差しできる可搬式半導体メモリとする。
【０００９】
また、本発明の好適な実施例においては、一方の端部にトランス組込みプラグ部を有するコードの他方の端部に前記携帯電話の外部機器接続端子部に直接接続可能であり、かつ前記携帯電話の外部機器接続端子部における非露出充電用端子に掛合する給電用端子のみを設けたコネクタ部を有するＡＣアダプタと、このＡＣアダプタの前記コネクタ部に接続可能でありかつ前記給電用端子に掛合可能な給電用接点を有する卓上ホルダとを設け、前記コネクタ手段に設けるエンクロージャを前記卓上ホルダにより構成し、この卓上ホルダに、前記給電用接点に接続しかつ携帯電話の露出充電用端子に掛合可能な露出給電用端子、前記接続ポート、前記マイクロコンピュータ及び前記補助記憶手段を設ける。
【００１０】
更に、本発明の好適な他の実施例においては、携帯電話の充電器具を、一方の端部にトランス組込みプラグ部を有するコードの他方の端部に前記携帯電話の外部機器接続端子部に直接接続可能でありかつ前記外部機器接続端子部のすべての端子に掛合可能な端子を設けたコネクタ部を有するＡＣアダプタにより構成し、前記コネクタ部を前記コネクタ手段の前記接続ポートとして機能させ、前記コネクタ部に、前記外部機器接続端子部の端子群のうちデータ入出力端子に接続可能な接続ポートから延びるラインを介して接続した前記マイクロコンピュータ及びこのマイクロコンピュータに接続した前記補助記憶手段を設け、これらマイクロコンピュータ及び補助記憶手段をエンクロージャで包囲する。
【００１１】
携帯電話を紛失又は破損して新たに携帯電話を購入する際に、従来の同一事業者の携帯電話を取り扱っている販売店に、それまで使用していた携帯電話の充電器具を持ち込み、この販売店の作業用パソコンにおける組込み制御プログラムの制御の下に補助記憶手段のバックアップコピーを作業ファイルに読み込み、作業用パソコンの作業ファイルから同販売店で新規に購入した携帯電話の補助メモリに書き込むという運用形態にすると好適である。
【００１２】
【発明の実施の形態】
次に図面につき本発明の好適な実施の形態を説明する。
【００１３】
図１に示す本発明の好適な実施の形態としての携帯電話の充電器具１は、それ自体単なる充電器具としても機能するＡＣアダプタ２と、このＡＣアダプタ２に接続するとき本発明によるバックアップ機能付き充電器具１の本体部分をなすとともに、携帯電話とのコネクタ手段として機能する卓上ホルダ３とにより構成する。
【００１４】
このＡＣアダプタ２は、コード２′の一方の端部にトランス組込みプラグ部４を有し、他方の端部に携帯電話５の外部機器接続端子部６（図４参照）に直接掛合可能でもあるコネクタ部７を有する。卓上ホルダ３には、ＡＣアダプタ２のコネクタ部７を差し込むことができる溝孔状の接続端子部８を設ける。これらコネクタ部７及び接続端子部８には給電用端子（図示せず）及びこれに掛合する給電用接点（図示せず）のみを設ける。
【００１５】
卓上ホルダ３には、接続端子部８の給電用接点に電気的に接続しかつ卓上ホルダ３に装着する携帯電話５の露出充電用端子９（図２参照）に接触可能な給電用端子１０を設ける。この携帯電話の露出充電用端子９は、図２に示すように、携帯電話５の背面底部両側に１対設けるか、又は平素はカバー１１で閉鎖される携帯電話底面の外部機器接続端子部６の両側に１対設けるが、本発明の実施に関しては携帯電話５の背面底部両側に１対設けるのが好適である。
【００１６】
図示の実施の形態は、折り畳み式携帯電話の卓上ホルダ３によって携帯電話とのコネクタ手段を構成したものである。卓上ホルダ３には、平素、カバー１１で閉鎖される携帯電話の外部接続端子部６のデータ入出力端子に接続可能な接続端子を設けた接続ポート１２を有する。この接続ポート１２は、卓上ホルダ３から延びているコード１３の端部に設けたコネクタ部により構成すると好適である。しかし、これに限定されることなく、例えば、携帯電話のデータ入出力端子の形態に対応する任意の形式の接続ポートとすることができ、また、物理的な接点端子の接触だけでなく、光学的なデータ送受信の形式の接続ポートであって光電変換素子を設けた接続ポートとすることもできる。
【００１７】
卓上ホルダ３には、図３に示すように、接続ポート１２に接続したマイクロコンピュータ１４及びこのマイクロコンピュータ１４に接続した補助記憶手段１５を収納する。従って、この卓上ホルダ３はこれらマイクロコンピュータ１４及び補助記憶手段１５のエンクロージャとしても機能する。
【００１８】
図３に示すように、マイクロコンピュータ１４のＲＯＭには、卓上ホルダ３の接続ポート１２に携帯電話５を接続したとき携帯電話５の補助メモリ１６に記憶されているデータをマイクロコンピュータ１４のＲＡＭにコピーし、このコピーをマイクロコンピュータ１４に接続した補助記憶手段１５にバックアップコピーとして上書き保存する制御プログラムを格納する。
【００１９】
補助記憶手段１５は、図示の実施の形態のように、卓上ホルダ（エンクロージャ）３内でマイクロコンピュータ１４に接続したインターフェイスコネクタ１５Ａに対して卓上ホルダ（エンクロージャ）３の外部から抜き差しできる可搬式半導体メモリ１５′とするか、又は卓上ホルダ（エンクロージャ）３内に固定的に組み込んだ半導体メモリとすることもできる。
【００２０】
本発明バックアップ機能付き携帯電話の充電器具１の使用は以下の通りである。ＡＣアダプタ２のコネクタ部７を卓上ホルダ３に接続し、またプラグ部４を電源コンセントに接続した状態で、卓上ホルダ３の給電用端子１０に携帯電話５の露出充電用端子が接触するよう携帯電話５を卓上ホルダ３に装着して携帯電話のバッテリを充電する際に、卓上ホルダ３の接続ポート１２を携帯電話５の外部機器接続端子部６に接続することにより、充電の他に更に、携帯電話の補助メモリ１６の内容がバックアップコピーとして、卓上ホルダ３に内蔵したマイクロコンピュータ１４の制御の下に補助記憶手段１５に上書き保存される。
【００２１】
携帯電話５が万一紛失又は破損した場合に、同一携帯電話事業者の携帯電話を取り扱う販売店に充電器具１の卓上ホルダ３を持ち込む。この販売店の作業パソコンに卓上ホルダ３の接続ポート１２を接続するか、又は卓上ホルダ３に内蔵したインターフェイスコネクタ（図示せず）にセットした可搬式補助記憶手段（半導体メモリ）を取出して作業パソコンにセットし、卓上ホルダ３に内蔵した又は抜き差し可能な固定式又は可搬式の補助記憶手段１５のバックアップコピーを、作業パソコンにおける組込み制御プログラムの制御の下に作業ファイルに一時的に読み込む。次に、この販売店で新規に購入した携帯電話の補助メモリに作業用パソコンの作業ファイルからバックアップコピーを復元する。
【００２２】
【実施例】
上述したところは、ＡＣアダプタと、卓上ホルダとにより充電器具を構成した実施の形態を説明したが、以下に、図４につき、ＡＣアダプタ自体を本発明によるバックアップ機能付き携帯電話の充電器具として構成した実施例を説明する。この実施例の場合、バックアップ機能付き携帯電話の充電器具１′は、コードの一方の端部にトランス組込みプラグ部４を有するコード２′の他方の端部に、携帯電話５の外部機器接続端子部６のための接続ポートとしても機能するコネクタ部７′を有するＡＣアダプタ２０により構成する。
【００２３】
このコネクタ部７′内の給電用端子（図示せず）は、携帯電話５の外部機器接続端子部６の端子群のうちの充電用端子に整合する。この外部機器接続端子部６は上述の卓上ホルダの溝孔状接続端子部８と同一形状であり、平素はカバー１１によって閉鎖される。
【００２４】
コネクタ部７′には、図５に示すように、給電用端子の他に、携帯電話５の外部機器接続端子部６のデータ入出力端子に接続可能な複数個の接続端子を有し、これら接続端子から延びるラインを介してマイクロコンピュータ１４に接続し、またこのマイクロコンピュータ１４を補助記憶手段１５に接続する。これらマイクロコンピュータ１４及び補助記憶手段１５は、コネクタ部７′に隣接する、又は図示の実施例ではコネクタ部７′に一体に構成したエンクロージャ１７に内蔵する。
【００２５】
補助記憶手段１５は、エンクロージャ１７内に固定的に組み込んだ半導体メモリとするか、又はエンクロージャ１７内でマイクロコンピュータ１４に接続したインターフェイスコネクタ（図示せず）に対してエンクロージャ１７の外部から抜き差しできる可搬式半導体メモリとすることもできる。
【００２６】
マイクロコンピュータ１４のＲＯＭには、上述したように、コネクタ部７′に携帯電話５を接続したとき携帯電話５の補助メモリ１６に記憶されているデータをマイクロコンピュータ１４のＲＡＭにコピーし、このコピーをマイクロコンピュータ１４に接続した補助記憶手段１５にバックアップコピーとして上書き保存する制御プログラムを格納する。
【００２７】
上述したように、携帯電話５が万一紛失又は破損した場合に、同一携帯電話事業者の携帯電話を取り扱う販売店に本発明バックアップ機能付き充電器具としてのＡＣアダプタ２０を持ち込み、この販売店の作業パソコンにＡＣアダプタ２０のコネクタ部７′を接続し、ＡＣアダプタ２０に設けたエンクロージャ１７内に固定収納した補助記憶手段１５に保存されているバックアップコピーを作業パソコンの作業ファイルに一時的に読み込むか、又はエンクロージャ１７内に内蔵したインターフェイスコネクタ１５Ａに着脱自在にセットした可搬式半導体メモリ１５′をインターフェイスコネクタから取り出して作業パソコンにセットして作業ファイルに一時的に読み込む。次に、販売店で新規に購入した携帯電話の補助メモリに作業用パソコンの作業ファイルからバックアップコピーを復元する。
【００２８】
上述の携帯電話の充電器具の実施の形態及び実施例において、マイクロコンピュータ１４のＲＯＭに格納する制御プログラムは、携帯電話５の補助メモリ１６のバックアップコピーを補助記憶手段１５に上書き保存した後に充電を開始する制御を行なうか、又はバックアップ保存と同時に充電を開始するか、又は、充電をほぼ完了又は完了後にバックアップ保存を行なうかのいずれかの制御を行なうものとすることができる。
【００２９】
【発明の効果】
本発明携帯電話の充電器具によれば、単に充電だけではなく、携帯電話に内蔵された補助メモリの内容を、充電器具に内蔵した補助記憶手段にバックアップコピーとして充電の度毎に上書き保存されるため、特別なパソコンソフトや、パソコンに関するスキルがなくても、従って、高齢者や子供でも、携帯電話の補助メモリの内容を自動的にかつ簡単にバックアップがとれる。
【００３０】
更に、携帯電話の紛失又は破損の際に、本発明による携帯電話の充電器具を同一携帯電話事業者の携帯電話を取り扱う販売店に持ち込み、販売店の作業パソコンを介して補助記憶手段内のバックアップコピーを新規購入した携帯電話に復旧する運用形態の場合、同一携帯電話事業者の携帯電話を再購入する動機付けができ、この携帯電話事業者の携帯電話の販売促進につながるという利点がある。
【図面の簡単な説明】
【図１】本発明の好適な実施の形態としての卓上ホルダ形携帯電話の充電器具の線図的斜視図である。
【図２】折り畳み式携帯電話の背面側から見た斜視図である。
【図３】卓上ホルダ内部に設けたマイクロコンピュータ及び補助記憶手段の関係を示すブロック図である。
【図４】本発明の好適な実施例としてのＡＣアダプタ形の携帯電話の充電器具の線図的斜視図である。
【図５】図４の実施例の線図的ブロック図である。
【符号の説明】
１，１′充電器具
２，２０　ＡＣアダプタ
２′コード
３　卓上ホルダ
４　プラグ部
５　携帯電話
６　外部機器接続端子部
７　コネクタ部
８　接続端子部
９　露出充電用端子
１０　給電用端子
１１　カバー
１２　接続ポート
１３　コード
１４　マイクロコンピュータ
１５　補助記憶手段
１６　補助メモリ
１７　エンクロージャ
【図１】
2004032480.tif 000003
【図２】
2004032480.tif 000004
【図３】
2004032480.tif 000005
【図４】
2004032480.tif 000006
【図５】
2004032480.tif 000007